(57)【要約】【課題】  仕切板のクッション材と配線の周囲に隙間が生じるのを防止できて、加熱側貯蔵室から冷却側貯蔵室への侵入熱を低減させ得るようにする。【解決手段】  貯蔵庫の背面断熱材における仕切板４ａ，４ｂが設置される部分に、背面断熱材３ｅの内面より凹陥させて仕切板４ａ，４ｂに対し交差する方向に延びる凹部２２ａ，２２ｂを設けるとともに、配線２０の各貯蔵室間跨架部分２０ａ，２０ｂを、この配線を囲繞した状態で前記凹部２２ａ，２２ｂ内に収容可能な半割形断熱材２３ａ，２３ｂで挟み込んで凹部２２ａ，２２ｂ内に嵌入固定する。【選択図】        図１
2007066221.tif 000002
【特許請求の範囲】
【請求項１】
断熱材に囲まれた貯蔵庫内を仕切板により複数の貯蔵室に画成するとともに、各貯蔵室の間を跨るように配線を通してなる自動販売機において、
前記貯蔵庫の背面断熱材における仕切板が設置される部分に、該背面断熱材の内面より凹陥させて該仕切板に対し交差する方向に延びる凹部を設けるとともに、
前記配線の各貯蔵室間跨架部分を、この配線を囲繞した状態で前記凹部内に収容可能な半割形断熱材で挟み込んで該凹部内に嵌入固定したことを特徴とする自動販売機。
【請求項２】
前記複数の貯蔵室の内部には、前方へ引き出し可能で商品を縦方向に収納して順次下方向に移送する商品収納ラックと、収納した商品を販売するためのベンドメカと、商品収納ラックから落下した商品を庫外に搬出するためのコンベアと、貯蔵室内を加熱・冷却するためのファン、ヒータ、及び蒸発機とがそれぞれ設置され、各貯蔵室内に引き込まれた前記配線が、各貯蔵室内の商品収納ラックにそれぞれ接続されてなることを特徴とする請求項１記載の自動販売機。
【発明の詳細な説明】
【技術分野】
【０００１】
本発明は、庫内の左右に温度を独立して調整可能な複数の貯蔵室を有する自動販売機に係り、より詳しくは隣接する貯蔵室間に跨る配線構造の改良に関する。
【背景技術】
【０００２】
図６は従来の一般的な紙容器飲料自動販売機の配線部を含む概略構成を示す正面断面図、図７はその側面断面図、図８はその貯蔵室間に跨る配線構造部（図７のＡ部）の斜視図、図９はその水平断面図、図１０はその稼働時の貯蔵室内循環空気の流れを説明するための説明図である。
【０００３】
従来の自動販売機１は、１面（前面）を開閉自在な外扉２ａ及び内扉２ｂによって、また残りの面を断熱材３ａ，３ｂ，３ｃ，３ｄ，３ｅによって包囲された貯蔵庫を有し、さらに貯蔵庫内が仕切板４ａ，４ｂによって３つの縦長の貯蔵室５ａ，５ｂ，５ｃに画成されている。すなわち、仕切板４ａによって貯蔵室５ａと貯蔵室５ｂとに区切られ、仕切板４ｂによって貯蔵室５ｂと貯蔵室５ｃとに区切られている。
【０００４】
各貯蔵室５ａ，５ｂ，５ｃには、それぞれ前方へ引き出し可能で商品６を縦方向に収納して順次下方に移送する商品収納ラック７ａ，７ｂ，７ｃ（図１０に１つの商品収納ラックのみ示す）と、各商品収納ラック７ａ，７ｂ，７ｃから落下した商品６をそれぞれ商品搬送口（内扉２ｂを貫通する開口部として設けられている）に向けて搬送するコンベア８ａ，８ｂ，８ｃが設けられているとともにと、各コンベア８ａ，８ｂ，８ｃの下方に、それぞれ蒸発器９ａ，９ｂ，９ｃ、ヒータ１１ａ，１１ｂ，１１ｃ（図７、図１０に１つのヒータのみ示す）、及びファン１２ａ，１２ｂ，１２ｃ（図７、図１０に１つのファンのみ示す）が設置され、更に各貯蔵室５ａ，５ｂ，５ｃの背面側に、各商品収納ラック７ａ，７ｂ，７ｃの内部を経由して各蒸発器９ａ，９ｂ，９ｃに向けて各貯蔵室５ａ，５ｂ，５ｃ内の空気を循環させるための吸気ダクト１３ａ，１３ｂ，１３ｃが設置されている。
【０００５】
すなわち、例えば貯蔵室５ｃにおいて蒸発器９ｃを作動した場合には、蒸発器９ｃにおいて冷却された空気はファン１２ｃによって送られ、コンベア８ｃの前縁と内扉２ｂとの間に形成された隙間から上方に吹き出し、商品収納ラック７ｃに収容された商品６に衝突してこれを冷却し、その後、吸気ダクト１３ｃの上端吸気口から吸気ダクト１３ｃ内に吸引され、吸気ダクト１３ｃの下端排気口から蒸発器９ｃに吸い込まれる。かかる風の流れを図１０中に矢印にて模式的に表示する。
【０００６】
一方、例えば貯蔵室５ａにおいてヒータ１１ａを作動した場合には、ヒータ１１ａにおいて加熱された空気はファン１２ａによって送られ、コンベア８ａの前縁と内扉２ｂとの間に形成された隙間から上方に吹き出し、商品収納ラック７ａに収容された商品６に衝突してこれを加熱し、その後、吸気ダクト１３ａの上端吸気口から吸気ダクト１３ａ内に吸引され、吸気ダクト１３ａの下端排気口からヒータ１１ｃに吸い込まれる。
【０００７】
冷却ユニットは、各貯蔵室５ａ，５ｂ，５ｃ内部にそれぞれ配置された蒸発器９ａ，９ｂ，９ｃと、貯蔵庫の外部、つまり貯蔵庫の底壁を形成する断熱材３ｃの下方に配置された圧縮機１４、及びファン１５を有する凝縮器１６と、これらを接続する冷媒配管１７とから成り、圧縮機１４と凝縮器１６とが１本の冷媒配管１７によって直列に接続されている。そして冷媒配管１７は、凝縮器１６の下流で分岐して、それぞれ貯蔵室５ａ，５ｂ，５ｃ（蒸発器９ａ，９ｂ，９ｃに同じ）に導かれ、さらに貯蔵室５ａ，５ｂ，５ｃを出た後は圧縮機１４の上流で再び１本の冷媒配管１７に統合されている。
【０００８】
そして、貯蔵室５ａ，５ｂ，５ｃが商品６の種類や季節等に応じて冷却室または加熱室として適宜切り換えて使用され、冷却室では商品が保冷され、加熱室では商品が加温されるようになっている。
【０００９】
ところで、自動販売機１には、各商品収納ラック７ａ，７ｂ，７ｃの下方に、それぞれ収納した商品６を販売するための周知のベンドメカ（図示しない）が設置されている。そして、各ベンドメカを動作させるために、自動販売機内側の背面に各貯蔵室５ａ，５ｂ，５ｃ間を跨る配線２０を通し、各商品収納ラック７ａ，７ｂ，７ｃへと接続してある（例えば特許文献１参照）。
【００１０】
【特許文献１】特開２００２−８３３５０号公報
【発明の開示】
【発明が解決しようとする課題】
【００１１】
従来の自動販売機は、以上のように構成され、各貯蔵室５ａ，５ｂ，５ｃ間を跨って通る配線２０が、図６乃至図９のように仕切板４ａ，４ｂの後縁にそれぞれ設けられている軟質のクッション材２１ａ，２１ｂと貯蔵庫背面の断熱材３ｅとの間を通り、仕切板４ａ，４ｂを押付けることで固定されている。そのため、仕切板４ａ，４ｂのクッション材２１ａ，２１ｂと配線２０の周囲に図７及び図８のように隙間ｇが生じてしまう。そしてこの隙間ｇにより、加熱側となる例えば貯蔵室５ａ内で温められた空気が、冷却側となる例えば貯蔵室５ｂ内に侵入してしまい、冷却側貯蔵室５ｂ内の商品が温められてしまうという難点があった。
【００１２】
本発明の技術的課題は、仕切板のクッション材と配線の周囲に隙間が生じるのを防止できて、加熱側貯蔵室から冷却側貯蔵室への侵入熱を低減させ得るようにすることにある。
【課題を解決するための手段】
【００１３】
（１）本発明に係る自動販売機は、下記の構成からなるものである。すなわち、断熱材に囲まれた貯蔵庫内を仕切板により複数の貯蔵室に画成するとともに、各貯蔵室の間を跨るように配線を通してなる自動販売機において、貯蔵庫の背面断熱材における仕切板が設置される部分に、背面断熱材の内面より凹陥させて仕切板に対し交差する方向に延びる凹部を設けるとともに、配線の各貯蔵室間跨架部分を、この配線を囲繞した状態で前記凹部内に収容可能な半割形断熱材で挟み込んで凹部内に嵌入固定したものである。
【００１４】
（２）本発明に係る自動販売機は、前記（１）において、複数の貯蔵室の内部に、前方へ引き出し可能で商品を縦方向に収納して順次下方向に移送する商品収納ラックと、収納した商品を販売するためのベンドメカと、商品収納ラックから落下した商品を庫外に搬出するためのコンベアと、貯蔵室内を加熱・冷却するためのファン、ヒータ、及び蒸発機とがそれぞれ設置され、各貯蔵室内に引き込まれた配線が、各貯蔵室内の商品収納ラックにそれぞれ接続されてなるものである。
【発明の効果】
【００１５】
本発明においては、貯蔵庫の背面断熱材における仕切板が設置される部分に、背面断熱材の内面より凹陥させて仕切板に対し交差する方向に延びる凹部を設けるとともに、配線の各貯蔵室間跨架部分を、この配線を囲繞した状態で前記凹部内に収容可能な半割形断熱材で挟み込んで凹部内に嵌入固定するようにしているので、配線の各貯蔵室間跨架部分の周囲に隙間が発生せず、加熱側貯蔵室で温められた空気が配線の各貯蔵室間跨架部分から冷却側貯蔵室へ移動することがなくなり、省エネルギ効果が得られる。また半割形断熱材は、配線のどこにでも簡単に取り付けることができるため、配線の各貯蔵室間跨架部分の位置を配線の引き回しの状態に合わせて後から決定することができ、配線作業が容易となる。
【００１６】
また、貯蔵室内に引き込まれた配線を、前方へ引き出し可能な商品収納ラックに接続することで、商品収納ラック内配線と商品収納ラックへ接続する配線とに分離でき、配線作業が容易となる。
【発明を実施するための最良の形態】
【００１７】
以下、図示実施形態により本発明を説明する。
図１は本発明の一実施形態に係る自動販売機の配線部を含む概略構成を示す正面断面図、図２はその側面断面図、図３はその配線の貯蔵室間跨架部分を背面断熱材凹部へ嵌入させる前の状態を示す分解斜視図、図４はその配線の貯蔵室間跨架部分を背面断熱材凹部へ嵌入させた状態を示す斜視図、図５は図２のＢ部を拡大して示す断面図であり、各図中、前述の従来例のものと同一部分には同一符号を付してある。
【００１８】
本実施形態の自動販売機１は、貯蔵庫背面の断熱材（以下、背面断熱材という）３ｅにおける仕切板４ａ，４ｂが設置される部分に、背面断熱材３ｅの内面より凹陥させてそれぞれ仕切板４ａ，４ｂに対し交差する方向に延びる凹部２２ａ，２２ｂを設けるとともに、配線２０の各貯蔵室間跨架部分２０ａ，２０ｂを、それぞれこれらを囲繞した状態で凹部２２ａ，２２ｂ内に収容可能な半割形断熱材２３ａ，２３ｂで挟み込んで凹部２２ａ，２２ｂ内に嵌入固定したものである。それ以外の構成は前述の従来例のものと同様である。
【００１９】
本実施形態の自動販売機１において、半割形断熱材２３ａ，２３ｂとこれに囲繞された配線２０の各貯蔵室間跨架部分２０ａ，２０ｂは、仕切板４ａ，４ｂの設置によって半割形断熱材２３ａ，２３ｂの表面側が背面断熱材３ｅの内面と面一状態になるように固定される。このため、従来配線の周囲に生じた隙間が無くなり、配線２０の各貯蔵室間跨架部分２０ａ，２０ｂでの空気の移動がなくなる。
【００２０】
このように、本実施形態の自動販売機１においては、貯蔵庫の背面断熱材３ｅにおける仕切板４ａ，４ｂが設置される部分に、背面断熱材３ｅの内面より凹陥させてそれぞれ仕切板４ａ，４ｂに対し交差する方向に延びる凹部２２ａ，２２ｂを設けるとともに、配線２０の各貯蔵室間跨架部分２０ａ，２０ｂを、この配線を囲繞した状態で凹部２２ａ，２２ｂ内に収容可能な半割形断熱材２３ａ，２３ｂで挟み込んで凹部２２ａ，２２ｂ内に嵌入固定するようにしているので、配線２０の各貯蔵室間跨架部分２０ａ，２０ｂの周囲に従来発生していたような隙間が形成されず、加熱側となる例えば貯蔵室５ａで温められた空気が配線２０の各貯蔵室間跨架部分２０ａ，２０ｂから冷却側となる例えば貯蔵室５ｂへ移動することがなくなり、省エネルギ効果が得られる。
【００２１】
また、半割形断熱材２３ａ，２３ｂは、配線２０のどこにでも簡単に取り付けることができるため、配線２０の各貯蔵室間跨架部分２０ａ，２０ｂの位置を配線２０の引き回しの状態に合わせて後から決定することができ、配線作業が容易となる。
【００２２】
また、各貯蔵室５ａ，５ｂ，５ｃ内に引き込まれた配線２０を、前方へ引き出し可能な商品収納ラック７ａ，７ｂ，７ｃに接続することで、従来と同様にベンドメカ等への商品収納ラック内配線（図示せず）と商品収納ラックへ接続する配線とに分離でき、配線作業が容易となる。
【図面の簡単な説明】
【００２３】
【図１】本発明の一実施形態に係る自動販売機の配線部を含む概略構成を示す正面断面図である。
【図２】本発明の一実施形態に係る自動販売機の側面断面図である。
【図３】本発明の一実施形態に係る自動販売機の配線の貯蔵室間跨架部分を背面断熱材凹部へ嵌入させる前の状態を示す分解斜視図である。
【図４】本発明の一実施形態に係る自動販売機の配線の貯蔵室間跨架部分を背面断熱材凹部へ嵌入させた状態を示す斜視図である。
【図５】図２のＢ部を拡大して示す断面図である。
【図６】従来の自動販売機の配線部を含む概略構成を示す正面断面図である。
【図７】従来の自動販売機の側面断面図である。
【図８】図７のＡ部の斜視図である。
【図９】従来の自動販売機の水平断面図である。
【図１０】従来の自動販売機の稼働時の貯蔵室内循環空気の流れを説明するための説明図である。
【符号の説明】
【００２４】
１  自動販売機
３ａ，３ｂ，３ｃ，３ｄ  断熱材
３ｅ  背面断熱材
４ａ，４ｂ  仕切板
５ａ，５ｂ，５ｃ  貯蔵室
７ａ，７ｂ，７ｃ  商品収納ラック
８ａ，８ｂ，８ｃ  コンベア
９ａ，９ｂ，９ｃ  蒸発機
１１ａ，１１ｂ，１１ｃ  ヒータ
１２ａ，１２ｂ，１２ｃ  ファン
２０  配線
２０ａ，２０ｂ  配線の貯蔵室間跨架部分
２２ａ，２２ｂ  凹部
２３ａ，２３ｂ  半割形断熱材
【図１】
2007066221.tif 000003
【図２】
2007066221.tif 000004
【図３】
2007066221.tif 000005
【図４】
2007066221.tif 000006
【図５】
2007066221.tif 000007
【図６】
2007066221.tif 000008
【図７】
2007066221.tif 000009
【図８】
2007066221.tif 000010
【図９】
2007066221.tif 000011
【図１０】
2007066221.tif 000012